(57)【要約】【課題】長期間の使用による錠本体の外観の劣化を防止する鞄用掛止板、鞄用錠前、及びランドセルを提供する。【解決手段】鞄用掛止板は、鞄の蓋部材の一端部に固着されるとともに鞄に固定された錠本体と係脱される鞄用掛止板２２であって、鞄用掛止板を構成する金属基板２８は、長さ方向に沿う側縁部に保護部材３１が設けられる。【選択図】  図２
2019136224.tif 000002
【特許請求の範囲】
【請求項１】
鞄の蓋部材の一端部に固着されるとともに前記鞄に固定された錠本体と係脱される鞄用掛止板であって、
前記鞄用掛止板を構成する金属基板は、長さ方向に沿う側縁部に保護部材が設けられることを特徴とする鞄用掛止板。
【請求項２】
鞄に固定された錠本体に複数設けられたガイドに挟まれる前記錠本体の定位置に案内されて前記錠本体と係脱される鞄用掛止板であって、
前記鞄用掛止板を構成する金属基板は、周縁部のうち前記ガイドと対向する部位に保護部材が設けられることを特徴とする鞄用掛止板。
【請求項３】
前記保護部材における前記ガイドとの対向面が、前記ガイドの凹凸に沿うように成形される請求項２に記載の鞄用掛止板。
【請求項４】
前記金属基板は、前記周縁部のうち前記金属基板の長さ方向に沿う部分が、前記金属基板の厚さ方向に屈曲される請求項２または請求項３に記載の鞄用掛止板。
【請求項５】
前記金属基板は、貫通孔を有しており、
前記保護部材は、前記貫通孔に充填されるとともに前記周縁部を被覆するように成形される請求項４に記載の鞄用掛止板。
【請求項６】
請求項２から請求項４のいずれか１項に記載の鞄用掛止板と、
前記鞄用掛止板が係脱される錠本体と、を備える鞄用錠前。
【請求項７】
請求項６に記載の鞄用錠前を備えるランドセル。
【発明の詳細な説明】
【技術分野】
【０００１】
本発明は、鞄用掛止板、鞄用錠前、及びランドセルに関する。
【背景技術】
【０００２】
一般に、ランドセルは、ランドセル本体を冠（かぶせ）部材で覆い、この冠部材をランドセル本体の底部外面で係止することでランドセル本体の開口部を塞ぐ構造を有する。ランドセル本体の底部外面には、操作部（ひねり）を備えた錠本体が固定される。この錠本体に、冠部材に設けられたサガリ（鞄用掛止板）が嵌合され、操作部で係止されることで、冠部材の施錠がなされる。
【０００３】
錠本体には、この定位置の左右にサガリの外形に沿った壁面形状のガイドが設けられる。このガイドは、サガリを操作部が設けられた錠本体の所定の位置に案内する役割や操作部の回転作動を衝撃等から保護する役割を有する。また、操作部を回転させて施錠するときに、サガリが操作部に引っかかることで生じるサガリの左右の振れを制限している。
【先行技術文献】
【特許文献】
【０００４】
【特許文献１】特開２００２−２３８６３１号公報
【発明の概要】
【発明が解決しようとする課題】
【０００５】
しかしながら、上述した従来の技術では、鞄の長期間の使用により錠本体のサガリとの当たり面の外観が著しく損なわれるという課題があった。
鉄又はその合金等の金属基板で構成されるサガリが、錠本体に繰り返し当たることによる衝撃や摩擦によって、メッキ又は塗装が剥落して素地の露出が起こるからである。
【０００６】
本発明はこのような事情を考慮してなされたもので、長期間の使用による錠本体の外観の劣化を防止する鞄用掛止板、鞄用錠前、及びランドセルを提供することを目的とする。
【課題を解決するための手段】
【０００７】
本実施形態に係る鞄用掛止板は、鞄の蓋部材の一端部に固着されるとともに前記鞄に固定された錠本体と係脱される鞄用掛止板であって、前記鞄用掛止板を構成する金属基板は、長さ方向に沿う側縁部に保護部材が設けられるものである。
【発明の効果】
【０００８】
本発明により、長期間の使用による錠本体の外観の劣化を防止する鞄用掛止板、鞄用錠前、及びランドセルが提供される。
【図面の簡単な説明】
【０００９】
【図１】第１実施形態に係る鞄用錠前を装着したランドセルの底部の斜視図。
【図２】第１実施形態に係る鞄用錠前の斜視図。
【図３】第１実施形態に係る鞄用掛止板（サガリ）の斜視図。
【図４】（Ａ）〜（Ｅ）第１実施形態に係る鞄用錠前の変形例を示す図。
【図５】（Ａ）、（Ｂ）第２実施形態に係る鞄用掛止板を構成する金属基板の構成図。
【図６】（Ａ）〜（Ｅ）第２実施形態に係る鞄用掛止板の構成図。
【発明を実施するための形態】
【００１０】
以下、本発明の実施形態を添付図面に基づいて説明する。なお、複数の図面中、同一または相当部分には同一符号を付している。
【００１１】
図１は、第１実施形態に係る鞄用錠前１０を装着したランドセル１００の底部（底部外面）１１の斜視図である。
【００１２】
ランドセル１００は、図１に示されるように、合成樹脂製又は皮革製等のランドセル本体１２と、このランドセル本体１２の底部１１と反対側で開口する開口部を閉じる冠部材１３と、を備える。冠部材１３は、ランドセル１００の開口部の背板１４側の一辺に一端が固定され、ランドセル本体１２の開口部を覆って、ランドセル本体１２の底部１１まで延設されている。
【００１３】
ランドセル本体１２は、ランドセル１００を小学生等のユーザが背負ったときにユーザの背中に接する背板１４、ユーザが背負うときに使用する左右一対の肩ベルト１６（１６ａ，１６ｂ）が設けられる。また、ランドセル本体１２の底部１１には、この左右一対の肩ベルト１６（１６ａ，１６ｂ）の下端側に配設された金属製のリング１７（１７ａ，１７ｂ）を回動可能に支持するダルマ座１８（１８ａ，１８ｂ）が固定される。
【００１４】
そして、剛性を有するこの底部１１に、錠本体１９が固定される。また、冠部材１３の先端部にはほぼＹ字状のベロ２１が接続される。このベロ２１の先端には、サガリ（鞄用掛止板）２２が固着される。サガリ２２の固着方法として、例えば、サガリ２２の端部上に、ベロ２１の先端と、ベロ２１と同材質の皮ツマミ２０と、金属の上板２５とを順に重ね合わせ、これらサガリ２２、ベロ２１、皮ツマミ２０及び上板２５を貫通するリベットを介して固定する。
【００１５】
通常、ランドセル１００に用いられるサガリ２２には、幅方向に長辺を有する長方形の２つの嵌合孔２３が、サガリ２２の長さ方向に沿って設けられる。この嵌合孔２３に、錠本体１９に設けられた操作部２４が嵌合されて、この操作部２４が９０度水平回転してサガリ２２を係止することで、サガリ２２が錠本体１９に係止される。
【００１６】
錠本体１９へのサガリ２２の係止方法には、この他にも、設けられる鞄の種類や大きさ等に応じて多数のものがある。例えば、鞄用錠前１０は、サガリ２２が嵌合孔２３を有さず、錠本体１９にバネで付勢された押さえ板で、左右又は前後からサガリ２２を錠本体１９に押さえ込んで係止するものであってもよい。
【００１７】
以下の説明では、サガリ２２の一例として、図１に示されるように嵌合孔２３を介して錠本体１９に係脱されるタイプを用いて説明する。
【００１８】
サガリ２２は、錠本体１９上の定位置において、錠本体１９と係脱される。錠本体１９上の定位置とは、サガリ２２の嵌合孔２３が操作部２４に嵌合されて、操作部２４を回転させることで施錠及び開錠（解錠）動作が行われる位置のことである。
【００１９】
錠本体１９におけるこの定位置の左右には、サガリ２２をこの定位置に案内するためのガイド２６が設けられる。ガイド２６は、サガリ２２が収まる定位置の左右を隆起させることで形成されるものや、反対にこの定位置部分のみを周囲よりも凹ませることで形成されるものなどがある。
【００２０】
以下、図１のようにランドセル１００の底部１１を正面にして見た場合の、観者の右手側を「右」、左手側を「左」、背板１４側を「前」、その反対の冠部材１３側を「後」、とする。
【００２１】
また、サガリ２２において、「右」側と「左」側とを結ぶ方向を「幅方向」、「前」側と「後」側とを結ぶ方向を「長さ方向」という。
【００２２】
さらに、サガリ２２の板面２７のうち、ランドセル１００の底部１１を正面にして見た場合の、観者に見える側を「表」、その反対側で錠本体１９と接触する側を「裏」といい、表裏の板面２７を接続する面を「側面」、とする。
【００２３】
（第１実施形態）
図２は、第１実施形態に係る鞄用錠前１０の斜視図である。
図３は、第１実施形態に係るサガリ２２の斜視図である。
【００２４】
第１実施形態に係るサガリ２２は、金属基板２８に、図２に示されるように、長さ方向に沿う側縁部２９に、柔軟性を有する保護部材３１が設けられる。保護部材３１としては、錠本体１９の材質（鉄やＡＢＳ樹脂等の硬い樹脂など）より柔らかい材質のもの、例えばウレタン、シリコン、エラストマー、ポリエチレン、ＥＰＤＭ、天然ゴム等を用いることができる。また、保護部材３１の材質として、錠本体１９の材質と同等の硬さを有するものを用いても良い。例えば錠本体１９の材質をＡＢＳ樹脂等の硬い樹脂で形成した場合には、同じように保護部材３１をＡＢＳ樹脂等の硬い樹脂で形成する。
【００２５】
ここで、側縁３２（図４、図５に図示）を、金属基板２８の輪郭縁のうち金属基板２８の長さ方向に沿う部分と定義する。
【００２６】
そして、側縁部２９（図４に図示）とは、側縁３２と接する表裏の板面２７又は側面３３上の領域であって、その前端及び後端がこの側縁３２の端部と一致する領域をいう。つまり、金属基板２８の周縁部３０（図５に図示）のうち、その前端及び後端がこの側縁３２の端部と一致する領域をいう。
【００２７】
より具体的には、側縁部２９とは、図４（Ａ）に示されるように、金属基板２８を、ベロ２１に固着される部分である固着領域３４と、この固着領域３４から最も離れた自由端領域３６と、この固着領域３４及び自由端領域３６の両方に連続してこれら固着領域３４と自由端領域３６とを接続する係止領域３７と、に分けた場合の係止領域３７であって、側縁３２を含む部分のことである。
【００２８】
なお、この「長さ方向」は、必ずしもサガリ２２の左右対象線（中心線）の方向と完全に一致する必要はなく、係止領域３７の左右の輪郭縁が左右対称線と一定（例えば３０°程度）の角度を有する場合であっても、この輪郭縁は長さ方向に沿っているということができる。
【００２９】
図２及び図３のランドセル１００のようにサガリ２２の左右にガイド２６が設けられている場合には、保護部材３１は、側縁部２９のうちガイド２６と対向する部位に設けるのが望ましい。ガイド２６と対向する部位は、ガイド２６に当たりやすいことに加えて、ガイド２６との当たり面の面積が小さく、当たった場合にガイド２６を傷つける可能性が高い。保護部材３１をガイド２６と対向する部位に設けることで、錠本体１９を十分に保護できる。
【００３０】
なお、保護部材３１は、側縁部２９の一部に設けられていれば、必ずしも全領域に設けられていなくてもよい。
【００３１】
また、保護部材３１は、表又は裏の板面２７にのみに固定部を有し、この固定部から側縁３２よりも幅方向に突出していてもよい。さらに、保護部材３１が側縁部２９内に配置されていれば、取手部３８を有する自由端領域３６など、側縁部２９の外部に設けられてもよい。
【００３２】
図２及び図３に示されるように、サガリ２２がその前後方向にもずれることなく案内されるように、サガリ２２に対向して直立するガイド２６が凹凸形状に形成されることがある。このようなガイド２６を備える錠本体１９については、保護部材３１のガイド２６との対向面も、ガイド２６の凹凸に沿うように形成されることが望ましい。
【００３３】
なお、金属基板２８は、その側面３３を保護部材３１とともにガイド２６に沿って凹凸に形成してもよいし、金属基板２８は直線形状で、保護部材３１のガイド２６との対向面のみを凹凸に形成してもよい。
【００３４】
ここで、図４（Ａ）〜図４（Ｅ）は第１実施形態に係る鞄用錠前１０の変形例を示す図である。
【００３５】
図４（Ａ）では、保護部材３１は、取手部３８と分離して側縁部２９に形成されており、図４（Ｂ）〜図４（Ｅ）では、自由端領域３６に設けられた取手部３８を含むように左右の保護部材３１を連結させて形成されている。
【００３６】
取手部３８を含んで左右の保護部材３１を一体形成することで、特定の方向から外力がかかった場合に、保護部材３１が外れてしまうことを防止することができる。また、取手部３８は、ユーザが激しく動くなどした場合にユーザに当たることの多い部分であるため、取手部３８が保護部材３１で被覆されることで、ユーザが安全に使用できる。
【００３７】
また、図４（Ｂ）は、嵌合孔２３が１つであって保護部材３１をガイド２６に合わせて凹凸に形成しているサガリ２２ｂの平面図、図４（Ｃ）は、同様に嵌合孔２３が１つであってガイド２６の外形を直線状にしているサガリ２２ｃの平面図である。また、図４（Ｄ）は、嵌合孔２３が３つであって保護部材３１をガイド２６に合わせて凹凸に形成しているサガリ２２ｄの平面図、図４（Ｅ）は、同様に嵌合孔２３が３つであってガイド２６の外形を直線状にしているサガリ２２ｅの平面図である。
【００３８】
図４（Ｂ）〜図４（Ｅ）に示されるように、サガリ２２（２２ｂ〜２２ｅ）の形状や嵌合孔２３の数に関わらず、保護部材３１を設けることで、ガイド２６を保護する効果を発揮することができる。
【００３９】
なお、金属基板２８と保護部材３１とは、別々に作製した後に、嵌め殺しの形状等を利用して保護部材３１を金属基板２８に嵌めてサガリ２２を作製してもよいし、インサート成形により、金属基板２８上に保護部材３１を一体に成形してサガリ２２を作製してもよい。
【００４０】
なお、鞄用錠前１０の種類によっては、錠本体１９にガイド２６が設けられていない場合もある。ガイド２６が設けられていない場合でも、サガリ２２に保護部材３１を設けることで、サガリ２２の側縁部２９がリング１７を留めるダルマ座１８や、錠本体１９の表面に当たり、錠本体１９の外観の劣化を防止することができる。
【００４１】
以上のように、第１実施形態に係るサガリ２２によれば、保護部材３１を設けることで、長期間の使用による錠本体１９の外観の劣化を防止することができる。
【００４２】
特に、ランドセルに適用される鞄用錠前では、錠本体は、メッキや塗装などの外観処理がされる。ランドセルは６年間使用されるため、ガイドとサガリとが何度も当たることによる打痕や摩耗により、本体の外観処理が剥落して、錠本体の素材が露出してしまうことがある。ユーザの使用方法によっては、低学年でも露出してしまう場合もある。
【００４３】
第１実施形態のサガリ２２のように、金属基板２８の長さ方向に沿う側縁部に保護部材３１を設けることで、錠本体１９の美観を損なうことなく、長期期間使用できる。
【００４４】
（第２実施形態）
図５（Ａ）は第２実施形態に係るサガリ２２を構成する金属基板２８の平面図、図５（Ｂ）は同・金属基板２８の右側面図である。
【００４５】
第２実施形態に係るサガリ２２は、図５（Ａ）、（Ｂ）に示されるように、金属基板２８が、周縁部３０のうち金属基板２８の長さ方向に沿う箇所、すなわち側縁部２９において、金属基板２８の厚さ方向に屈曲される。
【００４６】
金属基板２８は、前述したように、鉄や鉄の合金等の非常に強度の高いものが使用される。しかし、板面２７に垂直に強い外力がかかった場合には、破損のおそれもあり、サガリ２２が僅かに屈曲することで操作部２４の水平回転を金属基板２８が妨げるおそれもある。
【００４７】
そこで、サガリ２２のうち、金属基板２８の側縁部２９を屈曲させて、側面３３が板面２７と略平行になるように起立させる。
【００４８】
ただし、屈曲角度は、必ずしも図５（Ａ）、（Ｂ）に示すような直角には限定されない。また、起立した側縁部２９をさらに幅方向に向けて屈曲させてもよい。この起立した側縁部２９がリブとなり、サガリ２２の板面２７に加わる外力に対する強度を高めることができる。強度が高まることで、金属基板２８の板厚を薄くしても強度が維持できるため、軽量化も可能となる。
【００４９】
図６（Ａ）は、第２実施形態に係るサガリ２２の平面図であり、図６（Ｂ）は、図６（Ａ）の平面図におけるサガリ２２の内部の透視図である。また、図６（Ｃ）は、図６（Ａ）におけるＩ−Ｉ断面の断面図であり、図６（Ｄ）は、図６（Ａ）におけるＩＩ−ＩＩ断面の断面図である。そして、図６（Ｅ）は、図６（Ａ）におけるＩＩＩ−ＩＩＩ断面の断面図である。
【００５０】
図６（Ｂ）、（Ｃ）、（Ｅ）に示されるように起立した側縁部２９に沿って貫通孔４２を設けられている。また、図６（Ｂ）、（Ｄ）に示されるように取手部３８に貫通孔４２を設けてもよい。保護部材３１は、貫通孔４２に充填されるとともに側縁部２９を被覆するように成形される。
【００５１】
具体的には、保護部材３１の成形時に、保護部材３１をかたどった金型に、加熱されて液状となった保護部材３１を貫通孔４２を含め流し込んで冷却して、金属基板２８と保護部材３１とが一体構造になるように形成する。
【００５２】
表裏の保護部材３１を、貫通孔４２を通してブリッジして、金属基板２８への保護部材３１の固着を強固にすることで、長年の使用によっても保護部材３１が金属基板２８から外れないことを担保することができる。なお、この一体構造による固着強度の強化は、側縁部２９を起立させていない場合でも適用することができる。
【００５３】
なお、側縁３２を起立させることおよび保護部材３１の一体構造を形成させること以外は、第２実施形態は第１実施形態と構成的にも動作的にも同様となるので、重複する説明を省略する。
【００５４】
このように、第２実施形態に係るサガリ２２によれば、第１実施形態と同様の効果に加え、金属基板２８の長さ方向に沿うリブ構造を形成することができるので、サガリ２２の強度を高めることができる。
【００５５】
また、貫通孔４２を挟む保護部材３１を貫通孔４２内でブリッジすることで、保護部材３１の金属基板２８への固着を強化することができる。加えて、金属基板２８の側縁部２９を屈曲させるのみでは、使用中に基板の角部などを直接踏みつけてしまうおそれもあるが、サガリ２２は、保護部材３１に覆われることで丈夫かつ安全に使用することができる。
【００５６】
以上述べた少なくとも一つの実施形態のサガリによれば、金属基板の長さ方向に沿う側縁部に錠本体の材質と同等、または、その材質よりも柔軟性を有する保護部材を設けることで、長期間の使用による錠本体の外観の劣化を防止することが可能になる。
【００５７】
本発明のいくつかの実施形態を説明したが、これらの実施形態は、例として提示したものであり、発明の範囲を限定することは意図していない。
これら実施形態は、その他の様々な形態で実施されることが可能であり、発明の要旨を逸脱しない範囲で、種々の省略、置き換え、変更、組み合わせを行うことができる。
これら実施形態やその変形は、発明の範囲や要旨に含まれると同様に、特許請求の範囲に記載された発明とその均等の範囲に含まれるものである。
【符号の説明】
【００５８】
１０…鞄用錠前、１１…底部、１２…ランドセル本体、１３…冠部材（蓋部材）、１４…背板、１６（１６ａ、１６ｂ）…肩ベルト、１７（１７ａ、１７ｂ）…リング、１８（１８ａ、１８ｂ）…ダルマ座、１９…錠本体、２０…皮ツマミ、２１…ベロ、２２（２２ａ〜２２ｅ）…サガリ（鞄用掛止板）、２３…嵌合孔、２４…操作部、２５…上板、２６…ガイド、２７…板面、２８…金属基板、２９…側縁部、３０…周縁部、３１…保護部材、３２…側縁、３３…側面、３４…固着領域、３６…自由端領域、３７…係止領域、３８…取手部、４２…貫通孔、１００…ランドセル。 
【図１】
2019136224.tif 000003
【図２】
2019136224.tif 000004
【図３】
2019136224.tif 000005
【図４】
2019136224.tif 000006
【図５】
2019136224.tif 000007
【図６】
2019136224.tif 000008